(57)【要約】【課題】所定位置に容易に取付けることができる水没確認紙および携帯端末を提供する。【解決手段】水没確認紙３０は、反応部３１において窓２５ｂ等から視認する側に透視性の保護部３２を設けるとともに、保護部３２とは反対側の反応部３１に粘着部３３を設けたので、窓２５ｂの周囲等に直接貼り付ける必要がなく、筐体１２に収容される他のモジュール２７ａ、２７ｂや基板等に予め貼り付けることができる。このため、貼り付け作業性が向上するとともに、貼り付け不良を回避できる。【選択図】図５
2008107500.tif 000002
【特許請求の範囲】
【請求項１】
水分が浸漬することによって色が変化する面状の反応部と、
前記反応部の片面に設けられた透視性の保護部と、
前記反応部における前記片面とは反対側の面に設けられた粘着部とを有し、
前記反応部の片面もしくは前記片面と反対側の面のうちの少なくとも一方の一部が露出していることを特徴とする水没確認紙。
【請求項２】
前記反応部の片面の一部と前記片面と反対側の面の一部とが露出していることを特徴とする請求項１に記載の水没確認紙。
【請求項３】
請求項１または請求項２に記載の水没確認紙が用いられていることを特徴とする携帯端末。
【発明の詳細な説明】
【技術分野】
【０００１】
本発明は、携帯端末等の水に弱い機器に取付ける水分によって色が変化することにより、水没履歴を認識するために用いられる水没確認紙および携帯端末に関するものである。
【背景技術】
【０００２】
従来、水没履歴を正確に認識することができる水没確認紙を用いた携帯端末が提案されている（例えば特許文献１参照）。
一般に、水分によって色が変化する水没確認紙を、水に弱い携帯端末に用いる場合には、イヤホン取付部の開口部や、電池収納部の開口部等に取付けられている。例えば、電池収納部に水没確認紙を取付ける際には、電池収納部の内壁に窓等の切欠きを設けておき、窓の裏側（電池収納部の内壁の裏側、すなわち電子機器側）に水没確認紙を取付けて、窓から視認できるようにしている。このため、水没確認紙は、反応紙の前面にＰＥＴ等の透明部材を取付け、ＰＥＴ等の前面両端縁に両面テープ等を取付けて構成されており、両面テープによって窓の裏側に取付けている。
【特許文献１】特開２００４−１４６９０７号公報（第１図）
【発明の開示】
【発明が解決しようとする課題】
【０００３】
しかしながら、前述したように水没確認紙を電池収納部に取り付ける際には、窓の裏側から両面テープによって取付けているため、取り付け作業は電池収納部の外側、すなわち電子機器側の狭い箇所に作業状況が見えない状態で貼り付け作業を行わねばならず、作業性が悪いという問題があった。
【０００４】
本発明は、従来の問題を解決するためになされたもので、所定位置に容易に取付けることができる水没確認紙および携帯端末を提供することを目的とする。
【課題を解決するための手段】
【０００５】
本発明の水没確認紙は、水分が浸漬することによって色が変化する面状の反応部と、前記反応部の片面に設けられた透視性の保護部と、前記反応部における前記片面とは反対側の面に設けられた粘着部とを有し、前記反応部の片面もしくは前記片面と反対側の面のうちの少なくとも一方の一部が露出していることを特徴とする。
【０００６】
この構成により、反応部において窓等から視認する側に透視性の保護部を設けるとともに、保護部とは反対側の反応部に粘着部を設けたので、窓の周囲等に直接貼り付ける必要がなく、筐体に収容される他のモジュールや基板等における窓に対向する部位にあらかじめ貼り付けることができる。このため、貼り付け作業性が向上するとともに、貼り付け不良を回避することができることとなる。
そして、反応部の一方あるいは双方の面の少なくとも一部が露出しているため、水分の侵入を受けた際に、直ちに水分に反応することができる。
【０００７】
さらに、本発明の水没確認紙は、前記反応部の片面の一部と前記片面と反対側の面の一部とが露出していることを特徴とする。
【０００８】
この構成により、反応部の両面に露出部が設けられているので、水分の侵入を受けた際に、直ちに水分に反応することができる。なお、透視性の保護部を取付ける片面側にも露出部を設けることにより、片面側からの水分の侵入に迅速に反応するとともに、反対側面側からの水分の侵入の際には、反応部に含まれている空気を追い出しやすくなるので、迅速に反応することができる。
【０００９】
さらに、本発明の携帯端末は、前述した水没確認紙が用いられていることを特徴とする。
【発明の効果】
【００１０】
本発明は、貼り付け作業性が向上するとともに、貼り付け不良を回避することができる水没確認紙および携帯端末を提供することができるものである。
【発明を実施するための最良の形態】
【００１１】
以下、本発明の実施形態の水没確認紙について、図面を用いて説明する。
図１は本発明に係る実施形態の携帯端末の伸張状態における表側面を示す斜視図、図２は携帯端末の伸張状態における裏側面を示す斜視図、図３は下筐体の分解斜視図、図４（Ａ）は水没確認紙の斜視図、図４（Ｂ）は水没確認紙の分解斜視図、図５は水没確認紙の取付け状態を示す断面図、図６は反応紙におけるインク点の印刷方法を示す平面図、図７（Ａ）〜（Ｃ）は水没確認紙の製造工程を示す工程図である。
【００１２】
図１に示すように、第１実施形態の携帯端末１０は、上筐体１１および下筐体１２と、上筐体１１および下筐体１２の境界線に沿って配置された回動軸１３を中心として上筐体１１および下筐体１２を相対的に回動可能に連結する連結部１４と、上下の筐体１１、１２に収容されて各機器を電気的に接続する回路基板の接続構造（図示省略）とを備えた折畳式の携帯電話である。
【００１３】
上筐体１１は、表面１１Ａの略中央に表示部１５を備え、表示部１５の上方に自分撮りカメラ１６やレシーバ１７を備えている。下筐体１２は、表面１２Ａの略中央に操作部２１のキー２１ａを備え、操作部２１の下方にマイクロフォン２３を備える。また、連結部１４は、上筐体１１の下端部と下筐体１２の上端部とを回動自在に支持するものである。
【００１４】
一方、図２に示すように、上筐体１１の裏面１１Ｂには、略中央に副表示部１８を有し、連結部１４側には相手撮りカメラ１９を有している。
また、下筐体１２の裏面１２Ｂには、電池２４を収容する電池収容部２５が設けられており、この電池収容部２５を覆う蓋２６が着脱可能に設けられている。なお、電池２４には端子２４ａが設けられており、電池２４を収容した際に電池収容部２５側の端子（図示省略）に接続されるようになっている。
【００１５】
図３に示すように、下筐体１２では、表面１２Ａを形成する表側カバー２０Ａと、裏面１２Ｂを形成する裏側カバー２０Ｂとによって内部空間２２を形成し、内部空間２２には種々のモジュール２７ａ、２７ｂが収容されている。裏側カバー２７Ｂの下部（図３において左側）には、前述した電池収容部２５が開口されて形成されている。この電池収容部２５を形成する内壁２５ａには、適宜の位置に窓２５ｂが切り欠かれて形成されている。また、窓２５ｂに対向するモジュール２７ａ、２７ｂ位置には、本発明にかかる水没確認紙３０が取付けられている。
【００１６】
これにより、電池収容部２５から窓２５ｂを介して水没確認紙３０を視認することができるようになっている。また、モジュール２７ａ、２７ｂに水没確認紙３０を取付ける作業は、モジュール２７ａ、２７ｂをケース２０Ａ、２０Ｂ内に収容する前の工程で行うことができるので、作業性が良く、取付け不良を回避することができる。
【００１７】
図４に示すように、本発明の水没確認紙３０は、水分が浸漬することによって色が変化する面状の反応部である反応紙３１と、この反応紙３１の片面３１ａに設けられた透視性の保護部としてのＰＥＴ板３２と、反応紙３１における片面３１ａとは反対側の面３１ｂに設けられた粘着部としての両面テープ３３とを有している。
【００１８】
図４（Ｂ）に示すように、全体例えば白色の反応紙３１の片面３１ａには、例えばピンクや赤のインク点３１ｃが千鳥配置で設けられており、反応紙３１の外周縁にはインク点３１ｃが配置されないようになっている。このインク点３１ｃは、水分の浸漬によって溶解し、反応紙３１のインク点３１ｃ以外の白い部分をピンクや赤等に染めるものである。なお、インク点３１ｃは、丸形状に限らず、種々の形状とすることができる。また、反応紙３１の片面３１ａの左右両端縁上には、ＰＥＴ用両面テープ３２ａで透視性のＰＥＴ板３２が貼り付けられており、反対側面３１ｂの前後両端縁には両面テープ３３が貼り付けられている。
【００１９】
なお、ＰＥＴ用両面テープ３２ａは反応紙３１のインク点３１ｃに接触しないように貼り付けられており、ＰＥＴ板３２は反応紙３１よりも若干短いものとなっている。これにより、図４（Ａ）に示すように、ＰＥＴ板３２を反応紙３１に貼り付けた際に、反応紙３１の前後（図４（Ａ）において左右）両端にＰＥＴ板３２で覆われない露出部３１ｄ、３１ｄが形成されることになる。これにより、水分の侵入を受けた際には露出部３１ｄが直ちに水分による浸漬を受けるので、反応紙３１は迅速に水分に反応することができることになる。
【００２０】
図５に示すように、前述した水没確認紙３０を携帯端末１０に取付けるには、図４（Ａ）のように組付けられた水没確認紙３０を、筐体１２に収容される他のモジュール２７ａ、２７ｂに予め貼り付けておく。このとき、モジュール２７ａ、２７ｂにおいて筐体１２側の窓２５ｂ位置に対向する位置に両面テープ３３によって貼り付ける。
これにより、反応紙３１において窓２５ｂから視認する側に透視性のＰＥＴ板３２を設けるとともに、ＰＥＴ板３２とは反対側の反応紙３１に粘着部である両面テープ３３を設けたので、窓２５ｂの周囲等に直接貼り付ける必要がなく、貼り付け作業性が向上するとともに、貼り付け不良を回避することができることとなる。
【００２１】
次に、図６および図７に基づいて、反応紙３１の製造方法について説明する。
図４（Ｂ）において前述したように、反応紙３１の外周縁にインク点３１ｃが配置されないようにするために、図６に示すように、大きいベース紙３１ｅの全体にインク点３１ｃを千鳥配置に設ける際に、切断線ＣＴの近傍にインク点３１ｃが配置されないように空白部分３１ｆを設けておく。そして、図７（Ａ）に示すように、ベース紙３１ｅを切断線ＣＴに沿って短冊状に切断（ベース紙３１ｇ）する。このとき、切断線ＣＴの近傍には空白部分３１ｆが設けられているので、インク点３１ｃを切断することはない。次いで、図７（Ｂ）に示すように、短冊状のベース紙３１ｇの長さ方向に沿って中央に、ベース紙３１ｇの幅よりも幅の狭いＰＥＴ板３２を貼り付ける。さらに、ベース紙３１ｇのＰＥＴ板３２を貼り付けた面と反対側面に、長手方向に沿って左右両端縁に両面テープ３３を貼り付ける。最後に、図７（Ｃ）に示すように、所定長さに切断して、水没確認紙３０を製造する。
【００２２】
次に、図８〜図１１に基づいて水没確認紙の種々の変形例について説明する。なお、前述した水没確認紙３０と共通する部位には同じ符号を付して、重複する説明を省略することとする。
図８に示す水没確認紙３０Ｂでは、反応紙３１の片面３１ａに貼り付けるＰＥＴ板３２を一回り小さくして、反応紙３１の外周縁全周にわたって露出部３１ｄが設けられている。これにより、前述した作用・効果を得ることができるとともに、露出部３１ｄの面積を大きくすることができるので、一層迅速に水分に反応することができる。
【００２３】
図９に示す水没確認紙３０Ｃは、前述した水没確認紙３０における粘着部としての両面テープ３３を、反応紙３１の反対側面３１ｂの全面に貼り付けたものである。このようにしても、前述した作用・効果を得ることができるとともに、モジュール２７ａ、２７ｂ等に確実に水没確認紙３０Ｃを貼り付けることができる。
【００２４】
図１０に示す水没確認紙３０Ｄは、保護部であるＰＥＴ板３２を左右に分割して、中央に露出部３１ｄを設けたものである。このようにしても、前述した作用・効果を得ることができる。
【００２５】
図１１に示す水没確認紙３０Ｄでは、反応紙３１の片面３１ａ全面にわたってＰＥＴ板３２が貼り付けられている。従って、露出部は設けられていないが、反応紙３１の端面３１ｈから水分が浸透して反応することになる。
【００２６】
なお、以上の説明では、露出部３１ｄを反応紙３１においてＰＥＴ板３２が貼り付けられる片面３１ａに設けた場合について説明したが、反対側面３１ｂに露出部３１ｄを設けることもできる。さらに、片面３１ａおよび反対側面３１ｂの両面に露出部３１ｄを設けるようにすると、片面３１ａ側からの水分の侵入に迅速に反応するとともに、反対側面３１ｂ側からの水分の侵入の際には、反応紙３１に含まれている空気を追い出しやすくなるので、迅速に反応することができる。
【００２７】
また、前述した実施形態においては、携帯端末として折畳式の携帯電話を例示し、電池収容部の窓に取り付けられた水没確認紙を例示したが、本発明はノートパソコンや携帯型音楽再生装置、携帯型テレビ、携帯型ラジオ、カメラ、液晶腕時計、液晶ストップウォッチ、携帯型ＧＰＳ、携帯型ゲーム機器、ステレオ等の据置型電子機器を操作するリモコン、電子卓上計算機にも適用可能であり、その形態も折畳式に限定せず、例えばストレート型、スライド型、回転式等でもよく、水没確認紙の取付個所や数も任意である。
【産業上の利用可能性】
【００２８】
以上のように、本発明にかかる水没確認紙および携帯端末は、貼り付け作業性が向上するとともに、貼り付け不良を回避することができるという効果を有するため、水没履歴を認識するために用いられる水没確認紙および携帯電話、ノートパソコン、携帯音楽機、携帯型テレビ、ＰＤＡ、その他の電子機器等の携帯端末として有用である。
【図面の簡単な説明】
【００２９】
【図１】本発明の実施形態にかかる携帯端末の伸張状態における表側面を示す斜視図である。
【図２】携帯端末の伸張状態における裏側面を示す斜視図である。
【図３】下筐体の分解斜視図である。
【図４】（Ａ）水没確認紙の斜視図、（Ｂ）水没確認紙の分解斜視図である。
【図５】水没確認紙の取付け状態を示す断面図である。
【図６】反応紙におけるインク点の印刷方法を示す平面図である。
【図７】（Ａ）〜（Ｃ）は水没確認紙の製造工程を示す工程図である。
【図８】水没確認紙の第１変形例を示す斜視図である。
【図９】水没確認紙の第２変形例を示す斜視図である。
【図１０】水没確認紙の第３変形例を示す斜視図である。
【図１１】水没確認紙の第４変形例を示す斜視図である。
【符号の説明】
【００３０】
３０  水没確認紙
３１  反応紙（反応部）
３１ａ  片面
３１ｂ  反対側面
３１ｄ  露出部
３２  ＰＥＴ板（保護部）
３３  両面テープ（粘着部）
【図１】
2008107500.tif 000003
【図２】
2008107500.tif 000004
【図３】
2008107500.tif 000005
【図４】
2008107500.tif 000006
【図５】
2008107500.tif 000007
【図６】
2008107500.tif 000008
【図７】
2008107500.tif 000009
【図８】
2008107500.tif 000010
【図９】
2008107500.tif 000011
【図１０】
2008107500.tif 000012
【図１１】
2008107500.tif 000013